(57)【特許請求の範囲】
【請求項１】
天井面に配設された取付レールと、
その上端が前記取付レールに取り付けられて吊下げられたガラス製の防煙板と、
該防煙板の両側方に配置されると共に、同防煙板の端部に沿って接触、かつ可撓可能に構成された端部押え部とを備え、
該端部押え部は、
略半円筒状に構成されると共に、その頂部が前記防煙板の端部に沿って接触可能な構成とされた不燃性の半円筒部と、
前記防煙板の両側方に配置された柱あるいは壁面に、前記防煙板の端部が柱あるいは壁面の中心線上となるように、一定間隔を設けて立設されると共に、前記半円筒部の周方向の両側端が係止可能に構成された係止用片部とを有する
防煙垂壁。
【請求項２】
前記係止用片部間に、
前記半円筒部の周方向の両側端を挟むための挟持用板部を設ける
請求項１に記載の防煙垂壁。
【請求項３】
前記半円筒部が、ステンレス材料で形成された
請求項１または請求項２に記載の防煙垂壁。
【請求項４】
前記係止用片部が、アルミニウム材料で形成された
請求項１または請求項２に記載の防煙垂壁。
【発明の詳細な説明】
【技術分野】
【０００１】
本発明は、防煙垂壁に関する。詳しくは、火災時などに発生する煙の流動を一時的に遮断する防煙垂壁に係るものである。
【背景技術】
【０００２】
従来、この種の防煙垂壁として、例えば特許文献１に記載されたものが知られている。
具体的には、図８に示すように、天井の軽天部材に連結して取付けられている硝子製の防煙垂壁１０１の上部レール１０２が、壁、柱の手前５０〜１００ｍｍ程度離れた位置で止められている。
【０００３】
ここで、地震時に硝子の破損、損壊による２次災害を抑えるため、壁、柱との間に、変形追従衝撃吸収を目的としたケイカル板１０３と、このケイカル板１０３の端部が嵌め入れられた不燃シート製免震壁面方立１０４が取り付けられた構成とされている。
【先行技術文献】
【特許文献】
【０００４】
【特許文献１】実用新案登録第３１７２９４６号公報
【発明の概要】
【発明が解決しようとする課題】
【０００５】
しかしながら、前記特許文献１に記載された発明では、地震時の揺れの応力がケイカル板の変形で吸収されるが、変形が大きい場合にはケイカル板が割れて落下することになる。
【０００６】
従って、復旧の際には、新たなケイカル板や不燃シート製免震壁面方立を取り付けなければならず、復旧に手間とコストがかかる。
【０００７】
また、ケイカル板は白色系に着色されているために、ガラス製の防煙垂壁とのコントラストが大きく、見た目が悪い。
【０００８】
本発明は、以上の点に鑑みて創案されたものであって、地震時の振れによる防煙板の破損及び落下の防止を可能とした防煙垂壁を提供することを目的とするものである。
【課題を解決するための手段】
【０００９】
上記の目的を達成するために、本発明を適用した防煙垂壁は、天井面に配設された取付レールと、その上端が前記取付レールに取り付けられて吊下げられたガラス製の防煙板と、該防煙板の両側方に配置されると共に、同防煙板の端部に沿って接触、かつ可撓可能に構成された端部押え部とを備える。
【００１０】
ここで、天井面に配設された取付レールによって、複数枚の防煙板を一列状に天井面から吊下げることが可能となる。
【００１１】
また、その上端が取付レールに取り付けられて吊下げられたガラス製の防煙板によって、火災時などに発生する煙の流動を一時的に遮断することが可能となる。更に、上端のみが取り付けられていることで地震などによる防煙板と直交する方向への揺れに対して追従することが可能となる。
【００１２】
また、防煙板の両側方に配置されると共に、防煙板の端部に沿って接触、かつ可撓可能に構成された端部押え部によって、例えば地震による防煙板の両側方向への揺れに応じて端部押え部が可撓可能となる。これにより、防煙板の落下、あるいは破損等を防止することが可能となる。
【００１３】
また、端部押え部は、略半円筒状に構成されると共に、その頂部が防煙板の端部に沿って接触可能な構成とされた不燃性の半円筒部の場合には、例えば地震による防煙板の両側方向への揺れに対して、略半円筒状に構成された端部押え部が可撓可能となる。これにより、防煙板が面変形をすることがなく、防煙板の落下、あるいは破損等を防止することが可能となる。更に、不燃性とされることで火災での燃焼を防止することができる。
【００１４】
また、防煙板の両側方に配置された柱、あるいは壁面に一定間隔を設けて立設されると共に、半円筒部の下端が係止可能に構成された係止用片部を有する場合には、半円筒部の下端を係止することで、防煙板の両側方向への揺れや防煙板の両側方向への揺れに対して可撓可能となる。
【００１５】
また、半円筒部が、折り曲げ形成された場合には、１回の曲げ工程でよく、大幅に製作工程を省略することが可能となる。
【００１６】
また、半円筒部が、ステンレス材料で形成された場合には、火災に対する不燃性や地震に対する耐衝撃性を有すると共に、ステンレス材料特有の光沢で見た目が良くなる。
【００１７】
また、係止用片部が、アルミニウム材料で形成された場合には、火災に対する不燃性を有すると共に、軽量であるために柱、あるいは壁面への取り付けの容易化が実現する。
【００１８】
また、防煙板が、透明材料で形成された場合には、天井面が透明の防煙板で仕切られることで、例えば店舗内の美観、あるいは照明を損なうことがない。
【発明の効果】
【００１９】
本発明の防煙垂壁では、地震時の揺れによる防煙板の破損及び落下の防止を可能とするものである。
【図面の簡単な説明】
【００２０】
【図１】本発明を適用した防煙垂壁の防煙板の取付け機構の一例を説明するための立体模式図である。
【図２】本発明を適用した防煙垂壁の防煙板の取付け機構の一例を説明するための断面模式図である。
【図３】本発明を適用した防煙垂壁の一例を説明するための全体模式図である。
【図４】本発明を適用した防煙垂壁の端部押え部の角柱への取付けの一例を説明するための模式図である。
【図５】本発明を適用した防煙垂壁の端部押え部の丸柱への取付けの一例を説明するための模式図である。
【図６】本発明を適用した防煙垂壁の角柱の取付けにおける作用状態を説明するための模式図である。
【図７】本発明を適用した防煙垂壁の丸柱の取付けにおける作用状態を説明するための模式図である。
【図８】従来の防煙垂壁の一例を説明するための模式図である。
【発明を実施するための形態】
【００２１】
以下、本発明の実施の形態を図面を参酌しながら説明し、本発明の理解に供する。
【００２２】
図１は本発明を適用した防煙垂壁の防煙板の取付け機構の一例を説明するための立体模式図、図２は本発明を適用した防煙垂壁の防煙板の取付け機構の一例を説明するための断面模式図、図３は本発明を適用した防煙垂壁の一例を説明するための全体模式図である。
【００２３】
ここで示す防煙垂壁１は、天井Ａに設置された取付レール２と、この取付レール２で吊り下げられたガラス製の防煙板３と、このガラス製の防煙板３の端部側の柱、あるいは壁面に配置された端部押え部（図示せず。）とから構成されている。
【００２４】
ここで、取付レール２は、天井Ａ内に配置された吊上げボルト５で、柱と柱の間、あるいは壁面間に吊上げられている。
【００２５】
この取付レール２は、上部が吊上げボルト５の下端が係留可能とされた吊上げボルト係留用溝部６が形成され、下部が防煙板３の上端が挿入可能とされた防煙板吊下げ用溝部７が形成された構成とされている。
【００２６】
また、防煙板吊下げ用溝部７内面には、係留用突条部８が突設形成され、この係留用突条部８により吊下げボルト係留用空間部１４と防煙板挿入空間部１５が形成された構成とされている。
【００２７】
更に、吊上げボルト係留用溝部６と防煙板吊下げ用溝部７との境目に沿って、その両側方向に天井板を載せるための鍔部１３が突設されている。
【００２８】
ここで、吊上げボルト５は、天井内に配置された角パイプ１０に取り付けられたクリップ１１に挿通され、締結用ナット１２で固定されている。
【００２９】
更に、先端側に係留用プレート９が螺着され、吊上げボルト係留用溝部６内に挿入されることで吊上げボルト５で取付レール２の吊上げが可能とされている。
【００３０】
また、防煙板３は、例えば縦８００ｍｍ、横１０００ｍｍ、厚さ１０ｍｍの長方形状の透明状のガラス板で形成されている。
【００３１】
ここで、防煙板３を取付レール２に取り付ける場合には、防煙板３の上端を防煙板挿入空間部１５内に挿入すると共に、その下端に沿って下部フレーム１６を取り付ける。
【００３２】
この下部フレーム１６には、吊下げボルト１７が挿通可能な挿通穴２７が防煙板３の横長さごとに設けられている。
【００３３】
また、吊下げボルト１７は、その長さが防煙板３の縦長さよりも若干長く、その先端側にネジ部１８が形成され、このネジ部１８に係留用プレート９Ａが螺着されている。
【００３４】
ここで、防煙板挿入空間部１５内に防煙板３の上端を差し入れた状態で、防煙板３の下端に取り付けられた下部フレーム１６の挿通穴２７に吊下げボルト１７を挿通する。
【００３５】
そして、吊下げボルト１７の先端のネジ部１８に係留用プレート９Ａを螺着させ、吊下げボルト係留用空間部１４内に係留させながら吊下げボルト１７をドライバー等で回転させる。
【００３６】
これにより、防煙板３の上端が防煙板挿入空間部１５内に挿入された状態で下部フレーム１６と吊下げボルト１７により防煙板３を取付レール２に吊下げることができる。
【００３７】
また、図２に示すように、防煙板３の上端は、防煙板挿入空間部１５内に挿入され、その周囲に柔軟性を有するパテＢが充填された構成とされている。
【００３８】
この様に、防煙板３の上端が柔軟性を有するパテＢで固定されることで、地震による防煙板３と直交する方向への揺れに対して防煙板３の上端を支点として追従することが可能となる。
【００３９】
このようにして、図３に示すように、例えば、柱部１９間の天井Ａに防煙垂壁１を設置する場合では、柱部１９、１９間の天井面に取付レール２が設置されると共に、取付レール２に複数枚の防煙板３が取り付けられる。
【００４０】
そして、防煙垂壁１の両側方の柱部１９、１９面には端部押え部２０、２０が配置される。
【００４１】
図４（図４（Ａ）は本発明を適用した防煙垂壁の端部押え部の角柱への取付けの一例を説明するための平面模式図を示し、図４（Ｂ）は本発明を適用した防煙垂壁の端部押え部の角柱への取付けの一例を説明するための断面模式図を示す。）は本発明を適用した防煙垂壁の端部押え部の角柱への取付けの一例を説明するための模式図である。
【００４２】
また、図５（図５（Ａ）は本発明を適用した防煙垂壁の端部押え部の丸柱への取付けの一例を説明するための平面模式図を示し、図５（Ｂ）は本発明を適用した防煙垂壁の端部押え部の丸柱への取付けの一例を説明するための断面模式図を示す。）は本発明を適用した防煙垂壁の端部押え部の丸柱への取付けの一例を説明するための模式図である。
【００４３】
ここで、端部押え部２０は、アルミニウム材料で形成された一対の係止用片部２１と、この一対の係止用片部２１間に取り付けられたステンレス材料で形成された半円筒部２２から構成されている。
【００４４】
この係止用片部２１は、その長さが防煙板３の縦長さと略同じ長さとされ、かつ長手方向に沿って略中央が略直角状に折曲形成された、所謂アングル状に形成されている（図４（Ａ）参照）。または、係止用片部２１が丸柱形状の柱部１９の曲面に対して略垂直上となるように折曲形成されている図５（Ａ）参照）。
【００４５】
このように形成された係止用片部２１は、例えば、防煙板３の端部に沿って、その両方位置となる角柱形状の柱部１９面にそれぞれ取り付けられている（図４（Ｂ）参照）。
【００４６】
具体的には、角柱形状の柱部１９面に対して防煙板３の端部が、その中心線上となるように一定間隔を設けて係止用片部２１、２１が略直角上に立設されている。
【００４７】
また、半円筒部２２は、係止用片部２１と略同長さとされ、かつ係止用片部２１、２１との間隔幅と略同幅となるようにステンレス製鋼板を折り曲げ加工されている。
【００４８】
また、半円筒部２２は、係止用片部２１、２１間に、この半円筒部２２の頂部２３が係止用片部２１、２１間の中心に沿って位置するように取り付けられている。
【００４９】
具体的には、半円筒部２２の両側端２４、２４が係止用片部２１、２１内面に接するように嵌め入れられている。更に、挟持用板部２５、２５で係止用片部２１、２１の両側端２４、２４で挟むようにして取り付けられている。
【００５０】
また、挟持用板部２５、２５間の柱部１９面には固定板部２８が取付けられることで、半円筒部２２の両側端２４、２４が柱部１９に強固に取付け可能な構成とされている。
【００５１】
このようにして柱部１９面に取り付けられた端部押え部２０の半円筒部２２の頂部２３に沿って、防煙板３の端部２６が当接するように防煙板３が取付レール２に取り付けられている。
【００５２】
また、例えば、丸柱形状の柱部１９面に対して防煙板３の端部が、その中心線上となるように一定間隔を設けて係止用片部２１、２１が丸柱形状の柱部１９の曲面に対して略垂直上に立設されている（図５（Ｂ）参照）。
【００５３】
具体的には、半円筒部２２の両側端２４、２４が係止用片部２１、２１内面に接するように嵌め入れられている。更に、挟持用板部２５、２５で係止用片部２１、２１の両側端２４、２４で挟むようにして取り付けられている。
【００５４】
なお、本実施例では、半円筒部と係止用片部から構成される端部押え部について詳述するものであるが、必ずしも防煙板の端部の押えに半円筒部を設ける必要性はない。
【００５５】
例えば、可撓性を有する形状であれば、台形、あるいは三角形状などいかなる形状であっても構わないが、１回の曲げ加工で完了する円筒形状が望ましい。
【００５６】
また、本実施例ではステンレス製の半円筒部について詳述するものであるが、必ずしもステンレス製とする必要性はない。
【００５７】
例えば、鋼製、アルミニウム製など不燃性、かつ可撓性を有する部材であればいかなる部材であっても構わないが、耐蝕性及び美観に優れたステンレス製を採用することが望ましい。
【００５８】
また、本実施例ではアルミニウム製の係止用片部について詳述するものであるが、必ずしもアルミニウム製とする必要性はない。
【００５９】
例えば、鋼製など不燃性部材であれがいかなる部材であっても構わないが、軽量、且つ強耐性を有するアルミニウム製が望ましい。
【００６０】
また、本実施例では透明状の防煙板について詳述するものであるが、必ずしも透明状とする必要性はない。
【００６１】
例えば、半透明状、あるいは着色されたものであっても構わないが、大型店舗のように効率の良い照明を必要とする場合、あるいは開放感を必要とする場合では透明状とすることが望ましい。
【００６２】
図６（図６（Ａ)は本発明を適用した防煙垂壁の角柱の取付けにおける作用状態を説明するための側面模式図を示し、図６（Ｂ)は本発明を適用した防煙垂壁の角柱の取付けにおける作用状態を説明するための断面模式図を示す。）は本発明を適用した防煙垂壁の角柱の取付けにおける作用状態を説明するための模式図を示す。
【００６３】
また、図７（図７（Ａ)は本発明を適用した防煙垂壁の丸柱の取付けにおける作用状態を説明するための側面模式図を示し、図７（Ｂ)は本発明を適用した防煙垂壁の丸柱の取付けにおける作用状態を説明するための断面模式図を示す。）は本発明を適用した防煙垂壁の丸柱の取付けにおける作用状態を説明するための模式図を示す。
【００６４】
ここで、例えば、角柱形状、あるいは丸柱形状の柱部１９面に端部押え部２０の半円筒部２２の頂部２３に沿って天井Ａ面の取付レール２に吊り下げられた防煙板３の端部２６が当接するようにして配置されている（図６（Ａ）及び図７（Ａ）参照）。
【００６５】
このようにして角柱形状、あるいは丸柱形状の柱部１９間の天井Ａ面に配置された防煙板３は、例えば、地震による柱部１９方向（図中Ｃ矢印）への揺れが生じた場合には、半円筒部２２が可撓したり、端部２６と頂部２３との当接状態が解除されたりすることで、防煙板３の変形を抑止する（図６（Ｂ）及び図７（Ｂ）参照）。
【００６６】
また、例えば、地震による図中Ｄ矢印方向への揺れが生じた場合には、半円筒部２２が可撓することで防煙板３の変形を抑止する。
【００６７】
なお、図中Ｃ方向と図中Ｄ方向の揺れが同時に生じたり、その他の方向の揺れが生じた場合であっても、上記と同様に、半円筒部２２が可撓したり、端部２６と頂部２３との当接状態が解除されたりすることで、防煙板３の変形を抑止することができることとなる。
【００６８】
以上の構成よりなる本発明の防煙垂壁では、揺れによる防煙板の変形を抑止し、同防煙板の破損、あるいは落下を防止することが可能となる。
【００６９】
また、端部押え部が、ステンレス製、あるいはアルミニウム製の不燃性部材で形成されることで火災時において焼け落ちることがない。これにより、落下災害を防ぐことができると共に、煙移動阻止の目的を達成することが可能となる。
【００７０】
また、端部押え部を、例えばステンレス板を半円筒状に折り曲げることで構成することが可能となる。従って、製作工程が簡略化されることで作業効率が向上する。
【００７１】
また、端部押え部が半円筒状に折り曲げ形成されることで、例えば丸柱形状の柱部のように取付け箇所が曲面であっても取り付けることが可能となる。
【００７２】
更に、断面が半円形であるために地震時の各方位からの揺れによる応力を可撓することで吸収し、防煙板の変形を抑止する。
【００７３】
また、防煙垂壁の端部側の防煙板に透明状のガラス板を使用することが可能となることで、壁面間、あるいは柱部間の透光スペースを充分に取ることが可能となる。
【符号の説明】
【００７４】
１          防煙垂壁
２          取付レール
３          防煙板
５          吊上げボルト
６          吊上げボルト係留用溝部
７          防煙板吊下げ用溝部
８          係留用突条部
９、９Ａ    係留用プレート
１０        角パイプ
１１        クリップ
１２        締結用ナット
１３        鍔部
１４        吊下げボルト係留用空間部
１５        防煙板挿入空間部
１６        下部フレーム
１７        吊下げボルト
１８        ネジ部
１９        柱部
２０        端部押え部
２１        係止用片部
２２        半円筒部
２３        頂部
２４        両側端
２５        挟持用板部
２６        端部
２７        挿通穴
２８        固定板部
【図１】
0005952627.tif 000002
【図２】
0005952627.tif 000003
【図３】
0005952627.tif 000004
【図４】
0005952627.tif 000005
【図５】
0005952627.tif 000006
【図６】
0005952627.tif 000007
【図７】
0005952627.tif 000008
【図８】
0005952627.tif 000009